【事件の表示】
　特願２００３−２９３３１１「意思伝達装置」拒絶査定不服審判事件〔平成１７年　３月１０日出願公開、特開２００５−　６２５３３〕について、次のとおり審決する。
【結　論】
　本件審判の請求は、成り立たない。
【理　由】
１　手続の経緯・本願発明
　
（１）手続の経緯
　本願は、平成１５年８月１４日の出願であって、平成１８年９月２６日付けで拒絶査定がなされ、これに対し、同年１１月２日に拒絶査定不服審判が請求され、同年１１月２０日に手続補正がなされたものである。 
　  
（２）本願発明
　本願の請求項１に係る発明（以下「本願発明」という。）は、平成１８年１１月２０日付け手続補正によって補正された特許請求の範囲、明細書及び図面の記載からみて、その特許請求の範囲の請求項１に記載された事項により特定される次のとおりのものと認める。
　    
「楽音を発するためのスイッチ機能を有する操作部１と、この操作部１の入力に応じた楽音を発する音声合成部２及びスピーカと、この操作部１の入力に対応した所定の音声又は文字を出力する意思伝達部３とより成ることを特徴とする意思伝達装置。」
　
２　刊行物の記載事項
　
（１）原査定の拒絶の理由に引用された、本願の出願前に頒布された刊行物である特開平３−２５７４８４号公報（以下「刊行物１」という。）には、図とともに次の事項が記載されている。
　    
ア　「２．特許請求の範囲
　言葉の生成に必要な音節キーおよび各種制御用のキーにより構成されるキーボードと音声発生の為の音節データメモリとＩＣメモリカードを接続する為のインターフェイス部と音声合成部からなり、音節キーおよび韻律符号キーの直接入力により任意の音声を発生させることを特徴とする簡易声帯障害者用音声合成装置」
　
イ　「「作用」
　声帯障害者が正常な人と不自由を感ずることなく音声にて会話が可能となる。」（１頁右下欄１９行〜２頁左上欄１行）
　　
ウ　上記ア及びイによれば、刊行物１には、　
「言葉の生成に必要な音節キーおよび各種制御用のキーにより構成されるキーボードと音声発生の為の音節データメモリと音声合成部からなり、音節キーおよび韻律符号キーの直接入力により任意の音声を発生させることによって、声帯障害者が正常な人と不自由を感ずることなく音声にて会話を可能とする簡易声帯障害者用音声合成装置。」の発明（以下「引用発明１」という。）が記載されているものと認められる。
　
（２）原査定の拒絶の理由に引用された、本願の出願前に頒布された刊行物である特開２００３−６７１１９号公報（以下「刊行物２」という。）には、図とともに次の事項が記載されている。
　
ア　「【０００１】
【発明の属する技術分野】本発明は、タッチパネル上に設定された操作機能領域にタッチすることによって種々の操作を行う機器操作装置、プログラムおよび記録媒体に関し、詳細には、視覚障害者にも容易に操作が行える機器操作装置、その機器操作装置の機能を実行するためのプログラムおよびそのプログラムを記録したコンピュータ読み取り可能な記録媒体に関し、情報入力装置、自動取引装置、券売機、画像出力装置に応用して好適である。」
　
イ　「【００３６】図９は、第３の実施形態に対するタッチパネルに割り当てられた機能領域を示す例である。この機能割り当ては、非視覚操作モード時に、タッチパネル上にピアノやオルガンのような仮想の鍵盤を形成し、各鍵盤には機器を操作するための機能を割り当てる。ここで１つのタッチパネルに割り当てられる機能は、操作場面に存在する操作機能であり、この操作機能の数だけ鍵盤の数が存在する。・・・（略）・・・。
【００３７】（略）
【００３８】（略）
【００３９】このように操作機能をタッチパネル上に割り当てたときの操作方法を次に説明する。各鍵盤に指を触れある程度止まっているときに、その位置に応じた音程の比較的低い音アイコン（例えばピアノの音）に続いて、その鍵盤に割り当てられている機能（機能名や補助的な説明）を音声によって説明する。このような音アイコンは、音像定位が鍵盤や特殊機能の割り当てられたタッチパネル上の位置に対応するように左右チャンネルの再生音量を変化させるようにステレオで再生することによって、今触っている位置を把握しやすくなる。例えば、タッチパネルの左方の機能（図９の機能１）は、左のスピーカから強く聞こえるようにし、右方の機能は、右のスピーカから強く聞こえるようにすることによって、操作している位置を確認することができる。また、設定項目には存在するが、他の設定項目の内容との関連から一時的に選択不能になっている機能に対しては、音程は選択できるときと同じものとして、音アイコンの音色と音声ガイドの音質を変えて、利用者へその旨を通知することにより、一時的に利用できなくなったことを明白に認識することができる。また、音アイコンや音声ガイドの再生中であっても、触れた鍵盤の位置が変更されれば、直ちにその再生を中断し、新たに触れた鍵盤の音アイコンや音声ガイドを再生するようにすれば、音声ガイドを最後まで聞く必要がなくなるのでスムースな操作ができるようになる。」
　
ウ　上記ア及びイからみて、刊行物２には、　
「タッチパネル上にピアノやオルガンのような仮想の鍵盤を操作機能の数だけ形成し、各鍵盤には機器を操作するための機能を割り当て、鍵盤に指を触れた位置に応じた音程の音アイコン（例えばピアノの音）と、その鍵盤に割り当てられている機能を説明する音声とを、再生する機器操作装置。」の発明（以下「引用発明２」という。）が記載されているものと認められる。
　
３　対比
　
（１）引用発明１の「キーボード」は、本願発明の「操作部１」に相当する。
　
（２）引用発明１の「音声発生の為の音節データメモリと音声合成部」は、キーボードの音節キーおよび韻律符号キーの直接入力により、入力に対応した任意の音声を発生させるものであるところ、引用発明１は、本願発明の「この操作部１の入力に対応した所定の音声を出力する意思伝達部３」を備える。
　
（３）引用発明１の「簡易声帯障害者用音声合成装置」は、正常な人と不自由を感ずることなく音声にて会話が可能となるものであるから、本願発明の「意思伝達装置」に相当する。
　
（４）以上（１）ないし（３）から、本願発明と引用発明１とは、
「操作部１と、この操作部１の入力に対応した所定の音声を出力する意思伝達部３とより成る意思伝達装置。」
の点で一致し、次の点で相違する。
　
相違点：本願発明は、「楽音を発するためのスイッチ機能を有する操作部１」及び「この操作部１の入力に応じた楽音を発する音声合成部２及びスピーカ」を有するのに対し、引用発明１は、そのようなものを有さない点。
　
４　判断
　上記相違点について検討する。
　
（１）刊行物２には、「タッチパネル上にピアノやオルガンのような仮想の鍵盤を操作機能の数だけ形成し、各鍵盤には機器を操作するための機能を割り当て、鍵盤に指を触れた位置に応じた音程の音アイコン（例えばピアノの音）と、その鍵盤に割り当てられている機能を説明する音声とを、再生する機器操作装置。」の発明である引用発明２が記載されているところ、「鍵盤に指を触れた位置に応じた音程の音アイコン」は「入力に応じた楽音」と、「鍵盤」は「操作部」と、「その鍵盤に割り当てられている機能を説明する音声」は「入力に対応する音声」と、それぞれいえるし、本願明細書の【００１１】の記載より本願発明の「スイッチ機能」とは楽音を切替えて発することと認められ、本願明細書にはそれ以上の記載は見あたらないので、引用発明２は、楽音を発するためのスイッチ機能を有する操作部からの入力に応じた楽音と前記入力に対応する音声とを発する技術を開示するものといえる。
　
（２）しかるところ、上記３（４）のとおり、引用発明１が入力に対応する音声を発するものであることに照らせば、刊行物２に開示された、楽音を発するためのスイッチ機能を有する操作部からの入力に応じた楽音と前記入力に対応する音声とを発する技術を採用することは、当業者にとって格別の困難性はなく、楽音を発する手段として音声合成部及びスピーカは慣用されているものであるから、これらを併せて採用し、上記相違点に係る本願発明の構成となすことは、引用発明２に基づいて当業者が容易に想到することができた程度のことである。
　
（３）効果
　そして、本願発明の奏する効果は、引用発明１の効果及び引用発明２の効果から当業者が予測できた程度のものである。
　
（４）まとめ
　以上の検討によれば、本願発明は、引用発明１及び引用発明２に基いて当業者が容易に発明をすることができたものである。
　
５　むすび 
　
　したがって、本願発明は、刊行物１に記載された発明及び刊行物２に記載された発明に基いて当業者が容易に発明をすることができたものであるから、特許法第２９条第２項の規定により、特許を受けることができない。
　
 　よって、結論のとおり審決する。